(57)【要約】      （修正有）【課題】釣合いおもりの揚重作業において、その作業上の確実性及び安定性が向上が向上するとともに、付随する作業を容易に行うことができ、かつ作業効率が良好なエレベーター釣合いおもりのレールガイド装置を得る。【解決手段】エレベーター釣合いおもりのレールガイド装置において、腹部１ｂと、前記腹部の一端に設けられた前記腹部より肉厚な頭部１ａと、前記腹部の他端に設けられた昇降路内に固設される基部１ｃと、を有し、前記昇降路内に仮吊設された一対のガイドレールと、前記ガイドレールの間に昇降自在に配置された釣合いおもりと、前記ガイドレールに摺動自在に係合するシュー材２ｃを有し、前記釣合いおもりの両側上下端部に取付されたガイドシュー２と、前記ガイドレールの腹部を把持するように対向して、前記ガイドシューに反釣合いおもり側から着脱自在に取付された、平面視略Ｌ字型をした一対のガイド金具５と、を備える。【選択図】図３
2008195486.tif 000002
【特許請求の範囲】
【請求項１】
腹部と、前記腹部の一端に設けられた前記腹部より肉厚な頭部と、前記腹部の他端に設けられた昇降路内に固設される基部と、を有し、前記昇降路内に仮吊設された一対のガイドレールと、
前記ガイドレールの間に昇降自在に配置された釣合いおもりと、
前記ガイドレールに摺動自在に係合するシュー材を有し、前記釣合いおもりの両側上下端部に取付されたガイドシューと、
前記ガイドレールの腹部を把持するように対向して、前記ガイドシューに反釣合いおもり側から着脱自在に取付された、平面視略Ｌ字型をした一対のガイド金具と、を備えたことを特徴とするエレベーター釣合いおもりのレールガイド装置。
【請求項２】
前記ガイド金具のガイドレール腹部から離反した側の一辺を直角に折曲して形成されたローラー取付部と、
前記ローラー取付部のガイドレール基部近接側寄りに穿設されたローラー取付孔と、
前記ローラー取付孔に挿通された、外周にネジ山が螺刻されたネジ棒と、
前記ネジ棒のガイドレール腹部近接側の端部に取付された、平面視略コの字型のローラー支持金と、
前記ローラー支持金の凹陥部に回転自在に軸着されたローラーと、
前記ネジ棒の外周を取囲むようにして通された、前記ローラーをガイドレール腹部面へと押付ける方向に付勢するコイルスプリングと、を備えたことを特徴とする前記請求項１に記載のエレベーター釣合いおもりのレールガイド装置。
【請求項３】
腹部と、前記腹部の一端に設けられた前記腹部より肉厚な頭部と、前記腹部の他端に設けられた昇降路内に固設される基部と、を有し、前記昇降路内に仮吊設された一対のガイドレールと、
前記ガイドレールの間に昇降自在に配置された釣合いおもりと、
前記ガイドレールに摺動自在に係合するシュー材を有し、前記釣合いおもりの両側上下端部に取付された、前記ガイドシューと、
前記シュー材の反ガイドレール側の背面に沿って挿着された磁性体と、を備えたことを特徴とするエレベーター釣合いおもりのレールガイド装置。
【発明の詳細な説明】
【技術分野】
【０００１】
この発明は、エレベーター釣合いおもりのレールガイド装置に関するものである。
【背景技術】
【０００２】
従来におけるエレベーター釣合いおもりのレールガイド装置においては、各ガイドシューの上側に位置して、各ガイドレールに接する側に、ガイドロールを有しかつこれらガイドレールを抱持するＵ字型のガイド金具を備えたものが知られている（例えば、特許文献１参照）。
また、エレベーターの昇降路内を仮昇降するカウンタウェートに前記昇降路内に懸垂状態で仮設されたガイドレールの頭部に係合する案内体を備えるとともに、ガイドレールの頭部に隣接して傾斜面を有する段差部を設け、この段差部を挟んで前記案内体と一体的に取り付けられた一対の案内ローラを具備し、かつ、前記一対の案内ローラが前記段差部の傾斜面に平行に、かつ水平方向に配置される回転軸と、この回転軸により支持され、外周面が前記段差部の傾斜面に係合するローラとをそれぞれ備えたものも知られている（例えば、特許文献２参照）。
【０００３】
【特許文献１】実公昭５６−０２４６８５号公報
【特許文献２】実開平０１−１２３６８０号公報
【発明の開示】
【発明が解決しようとする課題】
【０００４】
特許文献１に示された従来におけるエレベーター釣合いおもりのレールガイド装置は、仮吊設された一対のガイドレールに沿わせて釣合いおもりを揚重している際に、ガイドレール間の間隔寸法が広がり、ガイドレールとガイドシューとの係合が外れてしまった場合でも、ガイドシューの上側に取付されたガイドレールを抱持するＵ字型のガイド金具及びガイドロールにより釣合いおもりのガイドがなされて、釣合いおもりと昇降路壁面との衝突等を回避するものである。しかし、この従来例においては、ガイド金具及びガイドロールがガイドレール基部を抱持することから、ガイドレール自重による座屈防止等の目的でガイドレール途中に設けられたブラケットなどが釣合いおもり揚重過程における障害物となり、この障害物を回避するため一旦揚重作業を中断し作業床を設け、次いでガイド金具及びガイドロールを取外し、障害物を通過した上で再びガイド金具及びガイドロールを取付し、やっと揚重作業を再開するといったような対応を取らねばならず、作業に煩雑な手数が掛かるという課題があった。更には、ガイドレールとガイドシューとの係合外れ自体を抑制するものではないため、作業の上で確実性や安定性に欠けるという課題もあった。
また、特許文献２に示された従来におけるエレベーター釣合いおもりのレールガイド装置においては、ガイドレールを挾持する一対の案内ローラに関して、その回転軸をガイドレールの頭部に隣接して設けられる段差部の傾斜面に平行に、かつ水平方向に配置し、更に、その外周面を前記段差部の傾斜面に係合させる、という厳しい調整条件が要求されるため、ローラ位置調整作業の難易度が高く、ローラの取付及び取外し作業に煩雑な手数が掛かるという課題がある。加えて、案内ローラがレールガイド装置に対し動かないようにフレームを介して固定されているために、ガイドレール接触面に対する案内ローラの当り荷重の調整が困難であるという課題、ガイドレール継目の段差通過時に振動が発生しやすいという課題や、仮吊設状態というガイドレールの鉛直度や直線度の精度が期待し難い状況における作業上の確実性や安定性に乏しいという課題もある。
【０００５】
この発明は、前述のような課題を解決するためになされたもので、第１の目的は、釣合いおもりの揚重作業において、その作業上の確実性及び安定性が向上したエレベーター釣合いおもりのレールガイド装置を得るものである。
また、第２の目的は、釣合いおもりの揚重作業において、付随する作業を容易に行うことができ、かつ作業効率が良好なエレベーター釣合いおもりのレールガイド装置を得るものである。
【課題を解決するための手段】
【０００６】
この発明に係る、エレベーター釣合いおもりのレールガイド装置においては、腹部と、前記腹部の一端に設けられた前記腹部より肉厚な頭部と、前記腹部の他端に設けられた昇降路内に固設される基部と、を有し、前記昇降路内に仮吊設された一対のガイドレールと、前記ガイドレールの間に昇降自在に配置された釣合いおもりと、前記ガイドレールに摺動自在に係合するシュー材を有し、前記釣合いおもりの両側上下端部に取付されたガイドシューと、前記ガイドレールの腹部を把持するように対向して、前記ガイドシューに反釣合いおもり側から着脱自在に取付された、平面視略Ｌ字型をした一対のガイド金具と、を備えた構成とする。
【発明の効果】
【０００７】
この発明はエレベーター釣合いおもりのレールガイド装置に関し、腹部と、前記腹部の一端に設けられた前記腹部より肉厚な頭部と、前記腹部の他端に設けられた昇降路内に固設される基部と、を有し、前記昇降路内に仮吊設された一対のガイドレールと、前記ガイドレールの間に昇降自在に配置された釣合いおもりと、前記ガイドレールに摺動自在に係合するシュー材を有し、前記釣合いおもりの両側上下端部に取付されたガイドシューと、前記ガイドレールの腹部を把持するように対向して、前記ガイドシューに反釣合いおもり側から着脱自在に取付された、平面視略Ｌ字型をした一対のガイド金具と、を備えた構成としたことで、釣合いおもりの揚重作業において、その作業上の確実性及び安定性が向上するという効果、及び、付随する作業を容易に行うことができ、作業効率が良好になるという効果を奏する。
【発明を実施するための最良の形態】
【０００８】
実施の形態１．
図１から図３は、この発明の実施の形態１を示すもので、図１はガイドレール及びレールガイド装置を備えた釣合いおもりの正面図、図２はガイドレール及びレールガイド装置を備えた釣合いおもりの平面図、図３はレールガイド装置の要部拡大斜視図である。
図において１はエレベーター昇降路（図示せず）内に仮吊設されたガイドレールで、レール腹部１ｂと、前記レール腹部１ｂの一端に設けられた前記レール腹部１ｂより肉厚なレール頭部１ａと、前記レール腹部１ｂの他端に設けられ、昇降路内に固設されるレール基部１ｃと、を有している。前記ガイドレール１の間には、ガイドシューベース２ａにレールガイド２ｂ及びシュー材２ｃを取付して成るガイドシュー２を介して、釣合いおもり４が昇降自在に配置されている。すなわち、前記釣合いおもり４の両側上下端部には前記ガイドシューベース２ａがそれぞれ螺着され、前記ガイドシューベース２ａの前記レール基部１ｃ近接側寄りには前記レールガイド２ｂがレールガイド取付ボルト３を用いて螺着される。そして、前記ガイドシューベース２ａ及び前記レールガイド２ｂには、前記レール頭部１ａを抱持して摺動自在に係合するように前記シュー材２ｃが取付されることにより、前記釣合いおもり４は前記ガイドレール１に案内されて上下方向に昇降できるようになっている。
前記釣合いおもり４の上部に取付された前記レールガイド２ｂの上方、及び、前記釣合いおもり４の下部に取付された前記レールガイド２ｂの下方には、それぞれ一対の平面視略Ｌ字型のガイド金具５が前記レール腹部１ｂを把持するように対向して着脱自在に螺着される。この際、前記ガイド金具５の螺着には前記レールガイド取付ボルト３を用いる。つまり、前記レールガイド取付ボルト３は前記レールガイド２ｂ及び前記ガイド金具５の両方を前記ガイドシューベース２ａへと螺着するために用いられることになる。なお、昇降方向に掛かる外力に対する前記ガイド金具５の強度を補うため、それぞれの前記ガイド金具５の前記レール腹部１ｂから離反した側の一辺は直角に折曲されて補強部５ａを形成している。
【０００９】
以上のように構成されたエレベーター釣合いおもりのレールガイド装置においては、昇降路内に仮吊設された、すなわち未設定のガイドレールで案内して釣合いおもりを揚重する据付作業の際に、ガイドレールのたわみ又は何らかの外力や釣合いおもりの偏荷重のガイドレールへの作用等により誘発されるガイドシューとガイドレールとの係合外れを、ガイド金具がガイドレール腹部を把持することにより未然に防ぐことができる。
従って、釣合いおもりの揚重作業において、その作業上の確実性及び安定性を向上させることが可能である。
【００１０】
実施の形態２．
図４及び図５は、この発明の実施の形態２を示すもので、図４はガイドレール及びレールガイド装置を備えた釣合いおもりの平面図、図５はレールガイド装置の要部拡大斜視図である。図４及び図５において、図１から図３と同符号は同一部分もしくは相当部分を示しており、説明を省略する。
前記実施の形態１における構成に加えて、前記補強部５ａの前記レール基部１ｃ近接側寄りに穿設されたローラー取付孔５ｂに、外周にネジ山が螺刻されたネジ棒６を挿通する。そして、前記ネジ棒６の前記レール腹部１ｂ近接側の端部には、平面視略コの字型で、その凹陥部にローラー７が回転自在に軸着されたローラー支持金８が取付される一方で、前記ネジ棒６の前記レール腹部１ｂ離反側には、コイルスプリング９が通された上で、押えナット６ａが螺嵌されることにより、前記ローラー７は前記ガイド金具５に前記レール腹部１ｂ面垂直方向摺動自在に取付される。従って、ここでは前記補強部５ａがローラー取付部を兼ねていることになる。
【００１１】
以上のように構成されたエレベーター釣合いおもりのレールガイド装置においては、前記実施の形態１と同様に釣合いおもりの揚重作業上の確実性及び安定性を向上させることが可能であるのに加えて、コイルスプリングの弾性力によりローラー位置がその摺動可能範囲内において自動的に調節されるという作用があることから、ローラーのガイドレール接触面に対する位置及び当り荷重の調整作業を容易に行うことができ、ローラーの取付及び取外し作業の効率を向上させることが可能である。更には、ガイドレール継目の段差通過時の衝撃をコイルスプリングが吸収するため、振動発生を抑制することも可能である。
【００１２】
実施の形態３．
図６から図８は、この発明の実施の形態３を示すもので、図６はガイドレール及びレールガイド装置を備えた釣合いおもりの平面図、図７はレールガイド装置の要部拡大斜視図、図８は図７中の矢印Ａの示す方向から見た矢視図である。図６から図８において、図１から図３と同符号は同一部分もしくは相当部分を示しており、説明を省略する。
ここで説明する実施の形態３においては、前記実施の形態１で用いた前記ガイド金具５に換えて、前記シュー材２ｃの前記レール基部１ｃ離反側の背面に沿って磁性体１０を着脱自在に挿着した形態とする。
【００１３】
以上のように構成されたエレベーター釣合いおもりのレールガイド装置においては、互いに係合するシュー材とガイドレール頭部との間に磁性体の作用により吸引力が働くため、ガイドレールの間隔を一定に保つとともにガイドシューとガイドレールとの係合外れを未然に防止し、前記実施の形態１及び前記実施の形態２と同様に釣合いおもりの揚重作業上の確実性及び安定性を向上させることが可能である。
また、ガイドシューのレール基部離反側の背面に沿って磁性体を挿着するという簡素な構成を採用していることから、レールガイド装置の取付及び取外し作業において位置調整や寸法管理の必要がなく、作業が容易に行えるとともに作業効率を向上させることができる。
なお、磁性体を挿着した状態は走行抵抗が増大することが考えられるため、揚重及び据付作業完了後に、磁性体は速やかに取外しされる。
【図面の簡単な説明】
【００１４】
【図１】この発明の実施の形態１におけるガイドレール及びレールガイド装置を備えた釣合いおもりの正面図である。
【図２】この発明の実施の形態１におけるガイドレール及びレールガイド装置を備えた釣合いおもりの平面図である。
【図３】この発明の実施の形態１におけるレールガイド装置の要部拡大斜視図である。
【図４】この発明の実施の形態２におけるガイドレール及びレールガイド装置を備えた釣合いおもりの平面図である。
【図５】この発明の実施の形態２におけるレールガイド装置の要部拡大斜視図である。
【図６】この発明の実施の形態３におけるガイドレール及びレールガイド装置を備えた釣合いおもりの平面図である。
【図７】この発明の実施の形態３におけるレールガイド装置の要部拡大斜視図である。
【図８】この発明の実施の形態３における図７中の矢印Ａの示す方向から見た矢視図である。
【符号の説明】
【００１５】
１    ガイドレール
１ａ  レール頭部
１ｂ  レール腹部
１ｃ  レール基部
２    ガイドシュー
２ａ  ガイドシューベース
２ｂ  レールガイド
２ｃ  シュー材
３    レールガイド取付ボルト
４    釣合いおもり
５    ガイド金具
５ａ  補強部（ローラー取付部）
５ｂ  ローラー取付孔
６    ネジ棒
６ａ  押えナット
７    ローラー
８    ローラー支持金
９    コイルスプリング
１０    磁性体
【図１】
2008195486.tif 000003
【図２】
2008195486.tif 000004
【図３】
2008195486.tif 000005
【図４】
2008195486.tif 000006
【図５】
2008195486.tif 000007
【図６】
2008195486.tif 000008
【図７】
2008195486.tif 000009
【図８】
2008195486.tif 000010